(57)【要約】【課題】  凹凸のある対象の表面を撮影する簡易な手段を提供する。【解決手段】  台座（４）に被写体（１７）を粘土などで固定する。台座（４）が備えるＯリング（５）に筒（６）を差し込む。筒（６）の内部に、被写体（１７）の撮影面（１８）の近傍まで黒色の砂（１６）を入れる。筒（６）の上部のカメラ固定台（１４）にオートフォーカス機能付きのカメラ（２０）を載せ、撮影面（１８）を撮影する。【選択図】図１
2005115008.tif 000002
【特許請求の範囲】
【請求項１】
固定部材を備える台と、
開いた上端と開いた下端とを有し、前記下端が前記固定部材により前記台に固定される筒と、
前記筒の上端に設けられ、前記筒の内部に設置された被写体を撮影するカメラを支持するカメラ支持部と、
前記筒の内部に入れられる粉体
とを具備する
撮影装置。
【請求項２】
請求項１において、
前記粉体は黒色である
撮影装置。
【請求項３】
請求項１または２において、
前記筒は、可視光に対して半透過性を示す
撮影装置。
【請求項４】
請求項１から３のうちのいずれか１項において、
前記筒の側面には、前記カメラの光軸に垂直な方向にスリットが設けられ、
更に、前記筒の側面に回転可能に固定され、前記スリットを介して前記筒に出し入れ可能な凸レンズ
を具備する
撮影装置。
【請求項５】
撮影面を上に向けて被写体を台に固定するステップと、
開いた上端と開いた下端とを有する筒の前記下端を、前記被写体が前記筒の内部に位置するように前記台に固定するステップと、
前記筒の内部に、前記撮影面の高さの近傍まで入れた粉体を使用するステップと、
自動的に焦点を調節するオートフォーカス機能を備えるカメラを前記上端に置くステップと、
前記オートフォーカス機能により焦点を調節して前記撮影面を撮影するステップ
とを具備する
撮影方法。
【発明の詳細な説明】
【技術分野】
【０００１】
本発明は撮影装置及び撮影方法に関し、特に凹凸を有する被写体の表面を撮影する撮影装置及び撮影方法に関する。
【背景技術】
【０００２】
金属表面は、小さい粗度が要求されることが多い。金属表面の加工精度を検査、あるいは引っかき傷などの欠陥を調べる事を目的とした、金属表面を撮影するための装置が市販されている。そうした装置は、非常に高価である。一方、一般的な用途のために市販されているカメラ（銀塩カメラまたはデジタルカメラ）は遥かに安価である。近年ではオートフォーカス機能を有しているカメラが多く、焦点を自動的に正確に合わせることができる。
【０００３】
カメラ前壁のカメラ対物レンズおよびファインダ対物レンズの前に、カメラ対物レンズの補助レンズ、透視ファインダのパララックス補償クサビおよび非対称ファインダ距離計のための交換可能に装着しうる共通の支持体を有し、その際補償クサビおよび基線距離計が補助レンズによって近距離になった物体距離へ調節されていることを特徴とする写真カメラの接写補助装置が知られている（特許文献１参照）。
【０００４】
第１被写体と第２被写体とを１つの写真に収めるようルーペを用いて接写する場合に、鮮明な写真が簡単な撮影作業により得られるようにするためのカメラ用接写装置が知られている（特許文献２参照）。
【０００５】
【特許文献１】特開昭５４−９４０２９号公報
【特許文献２】実開平６−６９９５２号公報
【発明の開示】
【発明が解決しようとする課題】
【０００６】
一般的な用途のために市販されているカメラのオートフォーカス機能を使用して撮影する場合、撮影対象となる撮影面が小さく撮影面とその周囲とに段差がある場合、撮影が困難である。例えば、撮影面の近傍が曲率あるいは段差を有する被写体の凸部頂頭面（突端部、その面を垂直な方向から見る観察者に対する距離がその面の周囲の面よりも近い面）を撮影することが困難である。例えば、ねじの頂頭部（ねじがねじ込まれるとき先端となる部分）の面を撮影しようとした場合、オートフォーカス機能により、ねじの付け根に焦点が調節され、頂頭部はぼけてしまう。
【０００７】
本発明の目的は、任意の形状（特に、撮影面の近傍が曲率あるいは段差を有する形状）の被写体の凸部頂頭面を鮮明に撮影することを可能にする撮影装置及び撮影方法を提供することである。
本発明の他の目的は、任意の形状の被写体の凸部頂頭面を安価な手段で鮮明に撮影することを可能にする撮影装置及び撮影方法を提供することである。
本発明の更に他の目的は、任意の形状の被写体の凸部頂頭面をより簡単に撮影することを可能にする撮影装置及び撮影方法を提供することである。
本発明の更に他の目的は、任意の形状の被写体の凸部頂頭面を、撮影する人の技量に依存せずに撮影することことを可能にする撮影装置及び撮影方法を提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００９】
本発明による撮影装置（２）は、固定部材（５）を備える台（４）と、開いた上端と開いた下端とを有し、下端が固定部材（５）により台（４）に固定される筒（６）と、筒（６）の上端に設けられ、筒（６）の内部に設置された被写体（１７）を撮影するカメラ（２０）を支持するカメラ支持部（１４）と、筒（６）の内部に入れられる粉体（１６）とを具備している。
【００１０】
本発明による撮影装置（２）において、粉体（１６）は黒色である。
【００１１】
本発明による撮影装置（２）において、筒（６）は、可視光に対して半透過性を示す。
【００１２】
本発明による撮影装置（２）において、筒（６）の側面には、カメラ（２０）の光軸に垂直な方向にスリット（８）が設けられている。本発明による撮影装置（２）は更に、筒（６）の側面に回転可能に固定され、スリット（８）を介して筒（６）に出し入れ可能な凸レンズ（１２）を具備している。
【００１３】
本発明による撮影方法は、撮影面（１８）を上に向けて被写体（１７）を台（４）に固定するステップ（Ｓ４）と、開いた上端と開いた下端とを有する筒（６）の下端を、被写体（１７）が筒（６）の内部に位置するように台（４）に固定するステップ（Ｓ６）と、筒（６）の内部に、撮影面（１８）の高さの近傍まで入れた粉体（１６）を使用するステップ（Ｓ８）と、自動的に焦点を調節するオートフォーカス機能を備えるカメラ（２０）を上端に置くステップ（Ｓ１０）と、オートフォーカス機能により焦点を調節して撮影面（１８）を撮影するステップ（Ｓ１２）とを具備している。
粉体（１６）は、表面が水平をなすように筒（６）に入れられたときに、その表面の明度が所定の明度よりも小さい。かつ、オートフォーカス機能は、その所定の明度よりも明度が小さい撮影面に対しては焦点の調節を行わず、その所定の明度よりも明度が大きい撮影面に自動的に焦点を調節する。このように紛体（１６）が使用されることにより、任意の形状をした被写体の頂頭部が容易に撮影される。
【発明の効果】
【００１４】
本発明によれば、任意の形状（特に、撮影面の近傍が曲率あるいは段差を有する形状）の被写体の凸部頂頭面を鮮明に撮影することを可能にする撮影装置及び撮影方法が提供される。
更に本発明によれば、任意の形状の被写体の凸部頂頭面を安価な手段で鮮明に撮影することを可能にする撮影装置及び撮影方法が提供される。
更に本発明によれば、任意の形状の被写体の凸部頂頭面をより簡単に撮影することを可能にする撮影装置及び撮影方法が提供される。
更に本発明によれば、任意の形状の被写体の凸部頂頭面を、撮影する人の技量に依存せずに撮影することことを可能にする撮影装置及び撮影方法が提供される。
【発明を実施するための最良の形態】
【００１５】
以下、図面を参照しながら本発明による撮影装置について詳細に説明する。
図１を参照すると、本発明による撮影装置の構成が示されている。撮影装置２は、水平に設置された台座４を備えている。台座４の上面には、Ｏリング５が固定されている。
【００１６】
台座４の上面には、Ｏリング５の内径と同じ又はわずかに大きい外径を有する円筒形の筒６がＯリング５に挿し込まれることにより着脱可能に設置されている。筒６は、曇りガラス、半透明アクリル材に例示される半透明（可視光に対して半透過性）な材料により形成されている。
【００１７】
筒６が透明な材料で形成されている場合、視野がより明るくなる点から好ましい。筒６が半透明な材料で形成されている場合、筒６の外側から入射する光が不均一であっても、光が筒６を通過するときに散乱され筒６の内部では外部より照度が均一になっているため好ましい。
【００１８】
台座４と筒６とを接合する手段は、後述する紛体１６を筒６に入れたときに紛体１６が筒６の下端から流出しないという条件が満たされるならば、Ｏリング５でなくてもよい。例えば、台座４にめねじのねじ山が設けられ、筒６の下端に該めねじに対応するおねじのねじ山が設けられ、筒６の下端のおねじが台座４のめねじにねじ込まれることにより固定されてもよい。
【００１９】
台座４には、台座４の上側の領域と下側の領域とを連通し、栓により開閉自在な孔（図示せず）が設けられていることが好ましい。こうした孔から後述する粉体が排出されることにより、筒６の内部に入れられた粉体１６の量の調節が容易である。
【００２０】
筒６の上端にはカメラ固定台１４が設置されている。カメラ固定台１４は、筒６と一体成形されていてもよいし、筒６の上端に嵌合されることにより固定されてもよい。カメラ固定台１４の上部は、焦点を自動的に調節するオートフォーカス機能を有する所定の市販のカメラ２０（光学式カメラ又はデジタルカメラ）を正面（レンズの側）を下向きにして載せたときにカメラ２０の位置が固定されるように凹凸が設けられている。カメラ２０がカメラ固定台１４に載せられたとき、カメラ２０の光軸は筒６の中心軸と略同じである。
【００２１】
筒６は、台座４と平行な方向、すなわち筒６の周方向に延長するスリット８を有している。スリット８の一端にはヒンジ又は回転軸１０が設けられている。ヒンジ又は回転軸１０には凸レンズ１２が固定されており、凸レンズ１２はヒンジ又は回転軸１０により台座４と平行な方向に回転可能である。凸レンズ１２は、厚さがスリット８の幅よりも小さく、ヒンジ又は回転軸１０を中心として回転されることにより、筒６の内部に入れた状態と、筒６の外部に出た状態とを取ることが可能である。凸レンズ１２が筒６の内部に入った状態において、凸レンズ１２の光軸と、カメラ固定台１４にカメラ２０を固定したときのカメラ２０の光軸とは略同じである。
【００２２】
台座４の上面には、粘土などにより被写体１７が固定されている。被写体１７の位置は筒６の内部であり、好ましくは筒６の中心軸付近である。被写体１７は任意の形状をしており、凸になっている部分が撮影面１８として上部に向けられている。
【００２３】
撮影面は、ねじの先端（ねじ頭と反対側）の面に例示される、面積が小さい或いは凹凸の凸になっている部分の面（凸部頂頭面）である。こうした部分は、通常の条件下ではオートフォーカス機能を用いて焦点を合わせることが困難である。本発明による撮影装置２は、そうした面の撮影に好適である。
【００２４】
筒６の内部には、被写体１７を埋めるようにして撮影面１８に近い高さまで粉体１６が入れられている。粉体１６は撮影面１８よりも反射率が小さく、好ましくは黒色である。例えばつや消しの黒色に塗装された砂である。
【００２５】
次に、こうした撮影装置を用いた撮影の手順を図２を参照して説明する。
まず撮影者は、上面が水平になるようにして台座４を設置する（ステップＳ２）。次に撮影者は、被写体１７を台座４の上面のＯリング５の内側に、撮影面１８が上を向くようにして固定する。固定は、たとえば粘土により行われる（ステップＳ４）。
【００２６】
筒６がＯリング５に差し込まれることにより台座４の上に固定される（ステップＳ６）。撮影者は、筒６の開いた上端から粉体１６を入れる。粉体１６は、撮影面１８よりも少し低い高さか、同じ高さまで入れられることが好ましい。粉体１６が入れられたら、撮影者は筒６の上端から刷毛を入れて粉体１６の上面を平らに均す。さらに、撮影面１８に付いた粉体１６を刷毛で綺麗に落とす（ステップＳ８）。
【００２７】
撮影者は、筒６の上端に設置されたカメラ固定台１４に、自動的に焦点を調節するオートフォーカス機能を備えたカメラ２０を置く。カメラ固定台１４にはカメラ２０のレンズ側の形状に対応した凹凸が設けられているため、カメラ２０は置くだけで所定の位置に固定される（ステップＳ１０）。
【００２８】
カメラ２０と撮影面１８との距離が、カメラ２０のオートフォーカス機能により焦点を合わせることが可能な範囲である場合には、凸レンズ１２は筒６の外に出された状態にされる。カメラ２０と撮影面１８との距離が、カメラ２０のオートフォーカス機能により焦点を合わせることができない範囲である場合には、凸レンズ１２は筒６の内部に入れられる。この場合、凸レンズ１２は光軸が筒６の中心軸と略同じになるように配置される。凸レンズ１２は、撮影面１８を拡大したい場合に使用されてもよい。
【００２９】
筒６が半透明であることにより、筒６の内部は略均一な照度になる。紛体１６の表面と撮影面１８とには、略均一な光が当てられる。
【００３０】
撮影者は、オートフォーカス機能が作動している状態でカメラ２０のシャッターを押す。オートフォーカス機能によりカメラ２０の焦点が撮影面１８に合わせられる。カメラ２０の視野の中で撮影面１８の周囲は紛体１６により黒色であるため、オートフォーカス機能により焦点が合わされず、撮影面１８に焦点が合わせられる（ステップＳ１２）。
【００３１】
オートフォーカス機能を用いて撮影が行われることにより、撮影が簡単である。更に、異なる撮影者によって操作された場合にも、焦点調節が自動であることにより、同じ撮影条件で撮影が行われる。
【００３２】
撮影が終了したら、撮影者はカメラ２０をカメラ固定台１４から外す。紛体１６は、撮影装置２を傾けることにより筒１６の上端から容易に取り出され、受け皿に移される。被写体１７は、受け皿の粉体１６のなかから取り出される。
【図面の簡単な説明】
【００３３】
【図１】図１は、撮影装置２の構成を示す。
【図２】図２は、撮影装置２の動作を示す。
【符号の説明】
【００３４】
２…撮影装置
４…台座
６…筒
８…スリット
１０…ヒンジ又は回転軸
１２…レンズ
１４…カメラ固定台
１６…粉体
１７…被写体
１８…撮影面
２０…カメラ
【図１】
2005115008.tif 000003
【図２】
2005115008.tif 000004